(57)【要約】【課題】薄型筐体の係合凸部と係合凹部との分解時に係合凸部が破損するのを抑制することが可能な薄型筐体の固定構造を提供する。【解決手段】この発明による薄型筐体の固定構造は、前側係合凸部１２と後側係合凹部１４との係合状態を解除する際に、前側係合凸部１２を撓ませながら、取外し用傾斜部１２ｂと端辺１４ｂとの交点が取外し用傾斜部１２ｂに沿って移動することにより、前側係合凸部１２と後側係合凹部１４との係合状態が解除されるように構成されている。【選択図】図１０
2012145125.tif 000002
【特許請求の範囲】
【請求項１】
係合凸部または係合凹部のうちの少なくとも一方を含む薄型の第１筐体と、
前記第１筐体の前記係合凸部または前記係合凹部のうちの少なくとも一方と係合する前記係合凸部または前記係合凹部のうちの少なくとも他方を含む薄型の第２筐体とを備え、
前記係合凸部または前記係合凹部のうちの一方の係合面には、前記係合凸部と前記係合凹部との係合方向から見て、係合方向と略直交する方向の一方端部近傍から他方端部近傍までの領域にわたって、前記係合凸部または前記係合凹部のうちの他方の係合面の端辺に対して交差して傾斜する第１傾斜部が形成され、
前記係合凸部と前記係合凹部との係合状態を解除する際には、前記係合凸部または前記係合凹部のうちの少なくとも一方が撓みながら、前記第１傾斜部と前記端辺との交点が前記第１傾斜部に沿って移動することにより、前記係合凸部と前記係合凹部との係合状態が解除されるように構成されている、薄型筐体の固定構造。
【請求項２】
前記係合凸部と前記係合凹部とが係合した状態において、前記第１傾斜部と前記端辺との交点よりも前記第１傾斜部の一方端部側では、前記係合凸部と前記係合凹部とが当接するように配置されているとともに、前記第１傾斜部と前記端辺との交点よりも前記第１傾斜部の他方端部側では、前記係合凸部と前記係合凹部とが当接しないように配置されている、請求項１に記載の薄型筐体の固定構造。
【請求項３】
前記係合凸部または前記係合凹部のうちの一方の係合面には、前記係合凸部と前記係合凹部との係合を容易にするために係合方向に対して傾斜する第２傾斜部が形成され、
前記係合凸部または前記係合凹部のうちの一方の係合面の前記第１傾斜部の傾斜角度は、前記第２傾斜部の傾斜角度よりも小さくなるように形成されている、請求項１または２に記載の薄型筐体の固定構造。
【請求項４】
前記係合凸部または前記係合凹部のうちの一方の係合面の前記第１傾斜部の延びる方向の幅は、前記第２傾斜部の延びる方向の幅よりも大きくなるように構成されている、請求項３に記載の薄型筐体の固定構造。
【請求項５】
前記係合凸部と前記係合凹部とが係合した状態において、係合方向から見て、前記第１傾斜部の他方端部と、前記係合凸部または前記係合凹部のうちの他方の係合面の端辺との間には、隙間が形成されている、請求項１〜４のいずれか１項に記載の薄型筐体の固定構造。
【請求項６】
前記係合凸部または前記係合凹部のうちの少なくとも一方は、前記第１筐体の外周辺に沿って複数形成され、
前記係合凸部または前記係合凹部のうちの少なくとも他方は、前記第２筐体の外周辺に沿って複数形成され、
前記複数の前記係合凸部または前記係合凹部のうちの一方の係合面の前記第１傾斜部は、それぞれ、前記係合凸部と前記係合凹部との係合状態を解除する際の起点となる位置から順次取り外す方向に沿って傾斜方向が統一されるように形成されている、請求項１〜５のいずれか１項に記載の薄型筐体の固定構造。
【請求項７】
前記係合凸部または前記係合凹部のうちの一方の前記第１傾斜部の形状は、直線状および曲線状を含む、請求項１〜６のいずれか１項に記載の薄型筐体の固定構造。
【請求項８】
前記第１傾斜部は、前記係合凸部側の係合面に形成されているとともに、前記係合凸部と前記係合凹部との係合方向から見て、係合方向と略直交する方向の一方端部近傍から他方端部近傍にわたって、略一定の傾斜角度で直線状に延び、かつ、前記係合凹部の係合面の端辺に対して交差するように構成され、
前記係合凸部と前記係合凹部との係合状態を解除する際には、前記係合凸部または前記係合凹部のうちの少なくとも一方が撓みながら、前記直線状の第１傾斜部と前記端辺との交点が前記直線状の第１傾斜部に沿って移動することにより、前記係合凸部と前記係合凹部との係合状態が解除されるように構成されている、請求項１〜７のいずれか１項に記載の薄型筐体の固定構造。
【発明の詳細な説明】
【技術分野】
【０００１】
この発明は、薄型筐体の固定構造に関し、特に、係合凸部および係合凹部を備える薄型筐体の固定構造に関する。
【背景技術】
【０００２】
従来、係合凸部および係合凹部を備える薄型筐体の固定構造が知られている（たとえば、特許文献１参照）。
【０００３】
上記特許文献１には、平板状のプリント基板やケース蓋部等の被係止部材（係合凹部）を電子機器本体内の所定の位置に固定するための係止用フックが開示されている。この係止用フックは、略直線的に上方に向かって延びるストレート部と、ストレート部の先端に設けられたフック部（係合凸部）とを備えている。また、フック部は、ストレート部の延びる方向に対して所定の角度で下方に向かって傾斜する傾斜面（摺接面）と、ストレート部の延びる方向に対して略直交する方向に延びる平坦面状の係合面（平面的に見て、矩形状の係合面）とを有している。上記特許文献１では、被係止部材とフック部とを固定する（取り付ける）際には、被係止部材がフック部の傾斜面に接触しながら下方（取付方向）に押し込まれることによって、被係止部材の上面がフック部の係合面と係合される。これにより、被係止部材の上面とフック部の係合面とは、平面的に見て、矩形状の係合領域（係合面）を有するように係合される。
【先行技術文献】
【特許文献】
【０００４】
【特許文献１】特開２０００−７７８７０号公報
【発明の概要】
【発明が解決しようとする課題】
【０００５】
しかしながら、上記特許文献１では、被係止部材とフック部とを固定する（取り付ける）際には、被係止部材は、フック部の傾斜面に沿って取り付けられるので、フック部と被係止部材とを容易に係合させることが可能である。その一方で、被係止部材とフック部とを分解する（取り外す）際には、被係止部材とフック部との取付方向とは反対方向（分解方向）に力が加えられた場合に、被係止部材がフック部に引っ掛ってしまうことにより、分解方向に加えられた力が被係止部材の上面とフック部の係合面との矩形状の係合領域（係合面）に集中するという不都合がある。その結果、フック部が破損してしまうという問題点がある。
【０００６】
この発明は、上記のような課題を解決するためになされたものであり、この発明の１つの目的は、薄型筐体の係合用フック（係合凸部）と被係止部材（係合凹部）との分解時に係合凸部が破損するのを抑制することが可能な薄型筐体の固定構造を提供することである。
【課題を解決するための手段および発明の効果】
【０００７】
この発明の一の局面による薄型筐体の固定構造は、係合凸部または係合凹部のうちの少なくとも一方を含む薄型の第１筐体と、第１筐体の係合凸部または係合凹部のうちの少なくとも一方と係合する係合凸部または係合凹部のうちの少なくとも他方を含む薄型の第２筐体とを備え、係合凸部または係合凹部のうちの一方の係合面には、係合凸部と係合凹部との係合方向から見て、係合方向と略直交する方向の一方端部近傍から他方端部近傍までの領域にわたって、係合凸部または係合凹部のうちの他方の係合面の端辺に対して交差して傾斜する第１傾斜部が形成され、係合凸部と係合凹部との係合状態を解除する際には、係合凸部または係合凹部のうちの少なくとも一方が撓みながら、第１傾斜部と端辺との交点が第１傾斜部に沿って移動することにより、係合凸部と係合凹部との係合状態が解除されるように構成されている。
【０００８】
この一の局面による薄型筐体の固定構造では、上記のように、係合凸部と係合凹部との係合状態を解除する際に、係合凸部または係合凹部のうちの少なくとも一方を撓ませながら、第１傾斜部と端辺との交点を第１傾斜部に沿って移動させることにより、係合凸部と係合凹部との係合状態を解除するように構成する。これにより、係合凸部と係合凹部との係合状態を解除（分解）する際に、第１傾斜部と端辺との交点を第１傾斜部に沿って移動させながら係合凸部と係合凹部との係合状態が解除されるので、係合凸部が係合凹部に引っ掛からないようにすることができる。その結果、分解方向に加えられた力が係合凸部と係合凹部との係合面に集中するのを抑制することができるので、薄型筐体の係合凸部と係合凹部との分解時に係合凸部が破損するのを抑制することができる。
【０００９】
上記一の局面による薄型筐体の固定構造において、好ましくは、係合凸部と係合凹部とが係合した状態において、第１傾斜部と端辺との交点よりも第１傾斜部の一方端部側では、係合凸部と係合凹部とが当接するように配置されているとともに、第１傾斜部と端辺との交点よりも第１傾斜部の他方端部側では、係合凸部と係合凹部とが当接しないように配置されている。このように構成すれば、係合凸部と係合凹部とが係合した状態において、係合凸部と係合凹部とが当接している領域では、係合凸部と係合凹部との保持力（係合状態）を維持することができる。また、係合凸部と係合凹部との係合状態を解除する際に、係合凸部と係合凹部とが当接していない領域を起点として、係合凸部と係合凹部とに大きな力を加えることなく、係合凸部と係合凹部との係合状態を解除することができる。
【００１０】
上記一の局面による薄型筐体の固定構造において、好ましくは、係合凸部または係合凹部のうちの一方の係合面には、係合凸部と係合凹部との係合を容易にするために係合方向に対して傾斜する第２傾斜部が形成され、係合凸部または係合凹部のうちの一方の係合面の第１傾斜部の傾斜角度は、第２傾斜部の傾斜角度よりも小さくなるように形成されている。このように構成すれば、第１傾斜部の傾斜角度が第２傾斜部の傾斜角度よりも大きくなるように形成されている場合と比べて、第１傾斜部の傾斜角度が比較的小さい（緩やかな）分、係合凸部と係合凹部との係合状態を解除する際に、第１傾斜部と端辺との交点を第１傾斜部に沿って移動させ易くすることができるので、容易に、係合凸部と係合凹部との係合状態を解除することができる。
【００１１】
この場合、好ましくは、係合凸部または係合凹部のうちの一方の係合面の第１傾斜部の延びる方向の幅は、第２傾斜部の延びる方向の幅よりも大きくなるように構成されている。このように構成すれば、係合凸部または係合凹部のうちの一方の係合面の第１傾斜部の延びる方向の幅が第２傾斜部の延びる方向の幅よりも小さくなるように構成されている場合と比べて、係合面の第１傾斜部の延びる方向の幅が比較的大きい分、容易に、第１傾斜部の傾斜角度を比較的小さくすることができる。
【００１２】
上記一の局面による薄型筐体の固定構造において、好ましくは、係合凸部と係合凹部とが係合した状態において、係合方向から見て、第１傾斜部の他方端部と、係合凸部または係合凹部のうちの他方の係合面の端辺との間には、隙間が形成されている。このように構成すれば、第１傾斜部の他方端部と、係合凸部または係合凹部のうちの他方の係合面の端辺との間に隙間がない場合と異なり、係合凸部と係合凹部との係合状態を解除する方向に力が加えられた際に、第１傾斜部を撓み易くさせることができるので、係合凸部と係合凹部との係合状態をより解除し易くすることができる。
【００１３】
上記一の局面による薄型筐体の固定構造において、好ましくは、係合凸部または係合凹部のうちの少なくとも一方は、第１筐体の外周辺に沿って複数形成され、係合凸部または係合凹部のうちの少なくとも他方は、第２筐体の外周辺に沿って複数形成され、複数の係合凸部または係合凹部のうちの一方の係合面の第１傾斜部は、それぞれ、係合凸部と係合凹部との係合状態を解除する際の起点となる位置から順次取り外す方向に沿って傾斜方向が統一されるように形成されている。このように構成すれば、第１筐体と第２筐体とを取り外す方向に力を加えた（引っ張った）場合に、係合凸部と係合凹部との係合状態を解除する際の起点となる位置から取り外す方向に沿って係合凸部と係合凹部との係合状態を順番に連続して円滑に解除することができる。
【００１４】
上記一の局面による薄型筐体の固定構造において、好ましくは、係合凸部または係合凹部のうちの一方の第１傾斜部の形状は、直線状および曲線状を含む。このように構成すれば、係合凸部と係合凹部との係合状態を解除する際に、第１傾斜部と端辺との交点を直線状または曲線状の第１傾斜部に沿って滑らかに移動させることができるので、容易に、係合凸部と係合凹部との係合状態を解除することができる。
【００１５】
上記一の局面による薄型筐体の固定構造において、好ましくは、第１傾斜部は、係合凸部側の係合面に形成されているとともに、係合凸部と係合凹部との係合方向から見て、係合方向と略直交する方向の一方端部近傍から他方端部近傍にわたって、略一定の傾斜角度で直線状に延び、かつ、係合凹部の係合面の端辺に対して交差するように構成され、係合凸部と係合凹部との係合状態を解除する際には、係合凸部または係合凹部のうちの少なくとも一方が撓みながら、直線状の第１傾斜部と端辺との交点が直線状の第１傾斜部に沿って移動することにより、係合凸部と係合凹部との係合状態が解除されるように構成されている。このように構成すれば、係合凸部と係合凹部との係合状態を解除（分解）する際に、直線状の第１傾斜部と端辺との交点を直線状の第１傾斜部に沿って移動させながら係合凸部と係合凹部との係合状態が解除されるので、矩形状の係合凸部が係合凹部に引っ掛からないようにすることができる。その結果、分解方向に加えられた力が係合凸部と係合凹部との係合面に集中するのを抑制することができる。
【図面の簡単な説明】
【００１６】
【図１】本発明の一実施形態によるポータブルＢＤ（Ｂｌｕ−ｒａｙ  Ｄｉｓｃ：ブルーレイディスク）プレーヤの斜視図である。
【図２】本発明の一実施形態によるポータブルＢＤプレーヤの正面図である。
【図３】図２に示すポータブルＢＤプレーヤの１００−１００線に沿った断面図である。
【図４】本発明の一実施形態によるポータブルＢＤプレーヤの前側筐体と後側筐体との係合状態を説明するための断面図である。
【図５】本発明の一実施形態によるポータブルＢＤプレーヤの前側筐体を裏面側から見た平面図である。
【図６】本発明の一実施形態によるポータブルＢＤプレーヤの前側筐体に形成された係合凸部を示す斜視図である。
【図７】本発明の一実施形態によるポータブルＢＤプレーヤの後側筐体を裏面側から見た平面図である。
【図８】本発明の一実施形態によるポータブルＢＤプレーヤの後側筐体に形成された係合凹部を示す斜視図である。
【図９】本発明の一実施形態によるポータブルＢＤプレーヤの後側筐体に形成された係合凸部を示す斜視図である。
【図１０】本発明の一実施形態によるポータブルＢＤプレーヤの前側筐体と後側筐体との係合状態を説明するための平面図である。
【図１１】図１０に示すポータブルＢＤプレーヤの３００−３００線に沿った断面図である。
【図１２】図１０に示すポータブルＢＤプレーヤの４００−４００線に沿った断面図である。
【図１３】本発明の一実施形態によるポータブルＢＤプレーヤの前側筐体と後側筐体との分解時の取り外し方向を説明するための図である。
【図１４】本発明の一実施形態によるポータブルＢＤプレーヤの前側筐体と後側筐体との取付前の様子を説明するための図である。
【図１５】本発明の一実施形態によるポータブルＢＤプレーヤの前側筐体と後側筐体との取付中の様子を説明するための図である。
【図１６】本発明の一実施形態によるポータブルＢＤプレーヤの前側筐体と後側筐体との取付後の様子を説明するための図である。
【図１７】本発明の一実施形態によるポータブルＢＤプレーヤの前側筐体と後側筐体との分解前の様子を説明するための平面図および平面図の５００−５００線に沿った断面図である。
【図１８】本発明の一実施形態によるポータブルＢＤプレーヤの前側筐体と後側筐体との分解中の様子を説明するための平面図および平面図の６００−６００線に沿った断面図である。
【図１９】本発明の一実施形態によるポータブルＢＤプレーヤの前側筐体と後側筐体との分解中の様子を説明するための平面図および平面図の７００−７００線に沿った断面図である。
【図２０】本発明の一実施形態によるポータブルＢＤプレーヤの前側筐体と後側筐体との分解後の様子を説明するための平面図および平面図の８００−８００線に沿った断面図である。
【図２１】本発明の一実施形態によるポータブルＢＤプレーヤの前側筐体または後側筐体に形成された係合凸部の形状の第１変形例を示す図である。
【図２２】本発明の一実施形態によるポータブルＢＤプレーヤの前側筐体または後側筐体に形成された係合凸部の形状の第２変形例を示す図である。
【図２３】本発明の一実施形態によるポータブルＢＤプレーヤの前側筐体または後側筐体に形成された係合凸部の形状の第３変形例を示す図である。
【図２４】本発明の一実施形態によるポータブルＢＤプレーヤの前側筐体または後側筐体に形成された係合凹部の形状の第４変形例を示す図である。
【図２５】本発明の一実施形態によるポータブルＢＤプレーヤの前側筐体または後側筐体に形成された係合凹部の形状の第５変形例を示す図である。
【図２６】本発明の一実施形態によるポータブルＢＤプレーヤの後側筐体に形成される係合凸部の第６変形例を示す図である。
【図２７】本発明の一実施形態によるポータブルＢＤプレーヤの前側筐体と後側筐体との分解時の取り外し方向を説明するための第７変形例を示す図である。
【発明を実施するための形態】
【００１７】
以下、本発明を具体化した実施形態を図面に基づいて説明する。
【００１８】
図１〜図１３を参照して、本発明の一実施形態によるポータブルＢＤ（Ｂｌｕ−ｒａｙ  Ｄｉｓｃ：ブルーレイディスク）プレーヤ１００の構成を説明する。
【００１９】
本発明の一実施形態によるポータブルＢＤプレーヤ１００は、図１および図２に示すように、表示部側本体１と、ディスク駆動部側本体２とを備えている。また、表示部側本体１と、ディスク駆動部側本体２とは、ヒンジ部３によって支持されている。表示部側本体１は、ヒンジ部３を回動中心として、ディスク駆動部側本体２に対して開閉可能（回動可能）に構成されている。
【００２０】
また、表示部側本体１には、スピーカ（図示せず）からの音声を出力するための音響孔４と、各種操作を行うための操作ボタン５とが設けられている。また、ディスク駆動部側本体２の内部には、ＢＤ（Ｂｌｕ−ｒａｙ  Ｄｉｓｋ：ブルーレイディスク）６に記録された内容を再生するためのディスク駆動部７が内蔵されている。また、ディスク駆動部側本体２の側面には、ＬＡＮケーブル、ＵＳＢケーブルおよびイヤホンなどを接続するための複数の接続端子８が設けられている。
【００２１】
また、図３に示すように、表示部側本体１は、比較的薄型でかつ小型の前側筐体９と、比較的薄型でかつ小型の後側筐体１０とを含んでいる。なお、前側筐体９は、本発明の「第１筐体」の一例であり、後側筐体１０は、本発明の「第２筐体」の一例である。また、前側筐体９および後側筐体１０は、樹脂からなる。また、前側筐体９と後側筐体１０との間には、液晶ディスプレイなどの表示パネル１１が設けられている。また、図３および図４に示すように、前側筐体９の外周辺（外縁部）と、後側筐体１０の外周辺（外縁部）とが係合することにより、前側筐体９と後側筐体１０とが固定されるように構成されている。
【００２２】
また、図５に示すように、前側筐体９は、平面的に見て（上面から見て）、略矩形形状を有する。前側筐体９の裏面側には、前側筐体９の外周辺に沿って７つの前側係合凸部１２が形成されている。前側係合凸部１２は、図６に示すように、略矩形形状の前側筐体９の外側から内側に向かって突出するように形成されている。また、図５に示すように、前側係合凸部１２は、前側筐体９の外周辺のうち矢印Ｘ１方向の外周辺に２つ、前側筐体９の外周辺のうち矢印Ｘ２方向の外周辺に２つ、および、前側筐体９の外周辺のうち矢印Ｙ１方向の外周辺に３つ形成されている。つまり、前側筐体９の外周辺には、合計７つの前側係合凸部１２が形成されている。また、前側筐体９の外周辺のうち矢印Ｙ２方向の外周辺には、２つの前側係合凹部１３が形成されている。
【００２３】
また、前側筐体９の矢印Ｘ１方向の外周辺に形成された前側係合凸部１２は、係合方向から見て、矢印Ｙ２方向側に先細りする形状を有している。また、前側筐体９の矢印Ｙ１方向の外周辺に形成された前側係合凸部１２は、係合方向から見て、矢印Ｘ１方向側に先細りする形状を有している。前側筐体９の矢印Ｘ２方向の外周辺に形成された前側係合凸部１２は、係合方向から見て、矢印Ｙ１方向側に先細りする形状を有している。
【００２４】
また、図７および図８に示すように、後側筐体１０の裏面側には、後側筐体１０の外周辺に沿って７つの後側係合凹部１４が形成されている。具体的には、後側係合凹部１４は、後側筐体１０の外周辺のうち矢印Ｘ１方向の外周辺に２つ形成されているとともに、後側筐体１０の外周辺のうち矢印Ｘ２方向の外周辺に２つ形成され、かつ、後側筐体１０の外周辺のうち矢印Ｙ１方向の外周辺に３つ形成されている。つまり、後側筐体１０の外周辺には、合計７つの後側係合凹部１４が形成されている。また、後側筐体１０の外周辺のうち矢印Ｙ２方向の外周辺には、２つの後側係合凸部１５が形成されている。この２つの後側係合凸部１５は、図９に示すように、前側筐体９と後側筐体１０との係合方向から見て、後側筐体１０の内側から外側に向かって突出するように形成されている。また、図７に示すように、後側筐体１０の矢印Ｙ２方向の２つの後側係合凸部１５は、それぞれ、係合方向から見て、ヒンジ部３（図２参照）とは反対方向に向かって先細りするように形成されている。
【００２５】
なお、図４に示すように、前側筐体９と後側筐体１０とを係合させた（組み立てた）状態では、前側筐体９の７つの前側係合凸部１２は、それぞれ、後側筐体１０の７つの後側係合凹部１４に係合するように構成されている。また、後側筐体１０の２つの後側係合凸部１５（図７参照）は、それぞれ、前側筐体９の２つの前側係合凹部１３（図５参照）に係合するように構成されている。
【００２６】
ここで、本実施形態では、図１０に示すように、前側係合凸部１２の係合面１２ａは、前側係合凸部１２と後側係合凹部１４との係合方向（Ｚ方向（図６参照））から見て、矢印Ｙ２方向に向かって先細りするような三角形（直角三角形）形状に形成されている。
【００２７】
また、本実施形態では、前側係合凸部１２の係合面１２ａの係合方向と略直交する方向（Ｙ方向）の一方端部１２ｃ近傍から他方端部１２ｄ近傍までの領域にわたって略直線状の取外し用傾斜部１２ｂが形成されている。なお、取外し用傾斜部１２ｂは、本発明の「第１傾斜部」の一例である。また、前側係合凸部１２の頂部１２ｅは、略平坦面状に形成されている。また、前側係合凸部１２の取外し用傾斜部１２ｂは、後側係合凹部１４の係合面１４ａの端辺１４ｂと所定の傾斜角度θ１で交差するように配置されている。
【００２８】
また、前側係合凸部１２の取外し用傾斜部１２ｂの延びる方向（Ｙ方向）の幅Ｗ１は、約４ｍｍである。また、取外し用傾斜部１２ｂの延びる方向に略直交する方向（Ｘ方向）の最大幅Ｗ２は、約０．５ｍｍである。
【００２９】
また、図１１および図１２に示すように、前側係合凸部１２の係合面１２ａには、前側係合凸部１２と後側係合凹部１４との係合を容易にするために係合方向（Ｚ方向）に対して傾斜する取付用傾斜部１２ｆが形成されている。なお、取付用傾斜部１２ｆは、本発明の「第２傾斜部」の一例である。この取付用傾斜部１２ｆのＺ方向から見た場合のＸ方向の幅Ｗ３は、約０．４５ｍｍである。また、取付用傾斜部１２ｆのＺ方向の幅Ｗ４は、約０．２５ｍｍである。また、取付用傾斜部１２ｆの下端部から取外し用傾斜部１２ｂの係合面１２ａまでの幅Ｗ５は、約０．３ｍｍである。また、後側係合凹部１４には、前側係合凸部１２との係合を容易にするために係合方向（Ｚ方向）に対して傾斜する取付用傾斜部１４ｃが形成されている。
【００３０】
また、図１０に示すように、取外し用傾斜部１２ｂの端辺１４ｂに対する傾斜角度θ１は、約４度以上約８度以下である。また、図１１に示すように、取付用傾斜部１２ｆの係合面１３ａ（係合面１２ａ）に対する傾斜角度θ２は、約２３度以上約２７度以下である。つまり、取外し用傾斜部１２ｂの端辺１４ｂに対する傾斜角度θ１は、取付用傾斜部１２ｆの傾斜角度θ２よりも小さくなるように形成されている。
【００３１】
また、図１０に示すように、前側係合凸部１２と後側係合凹部１４とが係合した状態において、取外し用傾斜部１２ｂと端辺１４ｂとの交点よりも取外し用傾斜部１２ｂの一方端部１２ｃ側（矢印Ｙ１方向側）では、前側係合凸部１２は、後側係合凹部１４と係合面１２ａ（係合面１４ａ）において当接するように配置されている。
【００３２】
また、図１２に示すように、前側係合凸部１２と後側係合凹部１４とが係合した状態において、取外し用傾斜部１２ｂと端辺１４ｂとの交点よりも取外し用傾斜部１２ｂの他方端部１２ｄ側（矢印Ｙ２方向側）では、前側係合凸部１２は、後側係合凹部１４とは当接しないように配置されている。また、図１０に示すように、取外し用傾斜部１２ｂの他方端部１２ｄと、端辺１４ｂとの間には、所定の間隔を隔てて隙間が形成されている。
【００３３】
また、図１３に示すように、前側係合凸部１２と後側係合凹部１４とが係合した状態において、後側筐体１０側から前側筐体９側を見た場合には、前側係合凸部１２および後側係合凸部１５（９番目）の傾斜方向は、それぞれ、前側係合凸部１２と後側係合凹部１４との係合状態を解除する際の起点となる位置（起点Ａ）から順次取り外す方向に沿って統一されるように形成されている。また、後側係合凸部１５（１０番目）の傾斜方向は、起点Ａから後側係合凸部１５（１０番目）に向かって取り外す方向に沿って傾斜するように形成されている。
【００３４】
具体的には、前側係合凸部１２と後側係合凹部１４との係合状態を解除する最初（１番目）の位置を起点Ａとした場合に、２番目〜９番目に係合状態を解除する前側係合凸部１２の傾斜方向は、起点Ａを基準にして、反時計回り方向に沿って傾斜方向が同じ方向を向くように統一して形成されている。また、１０番目に係合状態を解除する後側係合凸部１５は、係合状態を解除する際の起点となる位置（起点Ａ）を基準にして、起点Ａから時計回り方向に沿って傾斜するように形成されている。
【００３５】
なお、後側筐体１０の後側係合凸部１５は、前側筐体９の前側係合凸部１２と同様の構成を有する。また、前側筐体９の前側係合凹部１３は、後側筐体１０の後側係合凹部１４と同様の構成を有する。
【００３６】
次に、図１４〜図１６を参照して、前側筐体９と後側筐体１０との組み立てについて説明する。
【００３７】
まず、図１４に示すように、前側筐体９と後側筐体１０との組み立て時には、前側筐体９および後側筐体１０に係合方向（Ｚ方向）の力が加えられることによって、図１５に示すように、前側係合凸部１２の取付用傾斜部１２ｆが後側係合凹部１４の取付用傾斜部１４ｃと当接する。
【００３８】
その後、さらに前側筐体９および後側筐体１０に係合方向（Ｚ方向）の力が加えられることによって、前側係合凸部１２の取付用傾斜部１２ｆと、後側係合凹部１４の取付用傾斜部１４ｃとが当接した状態で、前側係合凸部１２が矢印Ｘ１方向に撓み始める。そして、さらに前側筐体９および後側筐体１０に係合方向（Ｚ方向）の力が加えられることによって、図１６に示すように、前側係合凸部１２が後側係合凹部１４に嵌まり込むことにより、前側筐体９と後側筐体１０とが係合される（組み立てられる）。
【００３９】
次に、図１７〜図２０を参照して、前側筐体９と後側筐体１０との分解（取外し）について説明する。
【００４０】
まず、図１７に示すように、前側係合凸部１２と、後側係合凹部１４とが係合されている状態から、前側筐体９および後側筐体１０に互いに離間する方向に力が加えられる。
【００４１】
そして、図１８に示すように、前側係合凸部１２の取外し用傾斜部１２ｂが矢印Ｘ１方向に撓み始めるとともに、取外し用傾斜部１２ｂと、後側係合凹部１４の係合面１４ａの端辺１４ｂとの交点Ａが取外し用傾斜部１２ｂに沿って徐々に取外し用傾斜部１２ｂの一方端部１２ｃ方向（矢印Ｙ１方向）へ移動する。このとき、前側係合凸部１２の取外し用傾斜部１２ｂは、係合面１４ａの端辺１４ｂから徐々に矢印Ｘ１方向に外れ始める。
【００４２】
さらに、前側筐体９と後側筐体１０とが互いに離間する方向に力が加えられることによって、図１９に示すように、取外し用傾斜部１２ｂと、端辺１４ｂとの交点が頂部１２ｅまで移動した後に、図２０に示すように、前側係合凸部１２の取外し用傾斜部１２ｂと、後側係合凹部１４の係合面１４ａの端辺１４ｂとが完全に離間することによって、前側係合凸部１２と、後側係合凹部１４との係合状態が解除される。つまり、前側筐体９と後側筐体１０とが分解される。
【００４３】
本実施形態では、上記のように、前側係合凸部１２と後側係合凹部１４との係合状態を解除する際に、前側係合凸部１２を撓ませながら、直線状の取外し用傾斜部１２ｂと端辺１４ｂとの交点を直線状の取外し用傾斜部１２ｂに沿って移動させることにより、前側係合凸部１２と後側係合凹部１４との係合状態を解除するように構成する。これにより、前側係合凸部１２と後側係合凹部１４との係合状態を解除（分解）する際に、取外し用傾斜部１２ｂと端辺１４ｂとの交点を取外し用傾斜部１２ｂに沿って移動させながら前側係合凸部１２と後側係合凹部１４との係合状態が解除されるので、前側係合凸部１２が後側係合凹部１４に引っ掛からないようにすることができる。その結果、分解方向（係合方向）に加えられた力が前側係合凸部１２と後側係合凹部１４との係合面１２ａ（１４ａ）に集中するのを抑制することができるので、薄型の前側筐体９と薄型の後側筐体１０との分解時に前側係合凸部１２が破損するのを抑制することができる。
【００４４】
また、本実施形態では、上記のように、前側係合凸部１２と後側係合凹部１４とが係合した状態において、取外し用傾斜部１２ｂと端辺１４ｂとの交点よりも取外し用傾斜部１２ｂの一方端部１２ｃ側で、前側係合凸部１２と後側係合凹部１４とが当接するように配置するとともに、取外し用傾斜部１２ｂと端辺１４ｂとの交点よりも取外し用傾斜部１２ｂの他方端部１２ｄ側で、前側係合凸部１２と後側係合凹部１４とが当接しないように配置すれば、前側係合凸部１２と後側係合凹部１４とが係合した状態において、前側係合凸部１２と後側係合凹部１４とが当接している領域では、前側係合凸部１２と後側係合凹部１４との保持力（係合状態）を維持することができる。また、前側係合凸部１２と後側係合凹部１４との係合状態を解除する際に、前側係合凸部１２と後側係合凹部１４とが当接していない領域を起点として、前側係合凸部１２と後側係合凹部１４とに大きな力を加えることなく、前側係合凸部１２と後側係合凹部１４との係合状態を解除することができる。
【００４５】
また、本実施形態では、上記のように、前側係合凸部１２の係合面１２ａの取外し用傾斜部１２ｂの傾斜角度θ１を、取付用傾斜部１２ｆの傾斜角度θ２よりも小さくなるように形成すれば、取外し用傾斜部１２ｂの傾斜角度θ１が取付用傾斜部１２ｆの傾斜角度θ２よりも大きくなるように形成されている場合と比べて、取外し用傾斜部１２ｂの傾斜角度θ１が比較的小さい（緩やかな）分、前側係合凸部１２と後側係合凹部１４との係合状態を解除する際に、取外し用傾斜部１２ｂと端辺１４ｂとの交点を取外し用傾斜部１２ｂに沿って移動させ易くすることができるので、容易に、前側係合凸部１２と後側係合凹部１４との係合状態を解除することができる。
【００４６】
また、本実施形態では、上記のように、前側係合凸部１２の係合面１２ａの取外し用傾斜部１２ｂの延びる方向の幅Ｗ１を、取付用傾斜部１２ｆの延びる方向の幅Ｗ４よりも大きくなるように構成すれば、前側係合凸部１２の係合面１２ａの取外し用傾斜部１２ｂの延びるＹ方向の幅Ｗ１が取付用傾斜部１２ｆの延びるＺ方向の幅Ｗ４よりも小さくなるように構成されている場合と比べて、係合面１２ａの取外し用傾斜部１２ｂの延びるＹ方向の幅Ｗ１が比較的大きい分、容易に、取外し用傾斜部１２ｂの傾斜角度θ１を比較的小さくすることができる。
【００４７】
また、本実施形態では、上記のように、前側係合凸部１２と後側係合凹部１４とが係合した状態において、係合方向（Ｚ方向）から見て、取外し用傾斜部１２ｂの他方端部１２ｄと、後側係合凹部１４の係合面１４ａの端辺１４ｂとの間に、隙間を形成すれば、取外し用傾斜部１２ｂの他方端部１２ｄと、後側係合凹部１４の端辺１４ｂとの間に隙間がない場合と異なり、前側係合凸部１２と後側係合凹部１４との係合状態を解除する方向（Ｚ方向）に力が加えられた際に、取外し用傾斜部１２ｂを撓み易くさせることができるので、前側係合凸部１２と後側係合凹部１４との係合状態をより解除し易くすることができる。
【００４８】
また、本実施形態では、上記のように、９つの前側係合凸部１２の係合面１２ａの取外し用傾斜部１２ｂを、それぞれ、前側係合凸部１２と後側係合凹部１４との係合状態を解除する際の起点となる位置から順次取り外す方向に沿って傾斜方向を統一するように形成すれば、前側筐体９と後側筐体１０とを取り外す方向に力を加えた（引っ張った）場合に、前側係合凸部１２と後側係合凹部１４との係合状態を解除する際の起点となる位置（起点Ａ）から取り外す方向に沿って前側係合凸部１２と後側係合凹部１４との係合状態を順番に連続して円滑に解除することができる。
【００４９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５０】
たとえば、上記実施形態では、本発明の薄型筐体の固定構造をポータブルＢＤプレーヤの前側筐体および後側筐体に適用する例を示したが、本発明はこれに限られない。たとえば、薄型でかつ小型の筐体を備えていれば、ＰＣ（Ｐｅｒｓｏｎａｌ  Ｃｏｍｐｕｔｅｒ）、携帯電話機および電子書籍などにも適用可能である。
【００５１】
また、上記実施形態では、本発明の第１筐体の一例として前側筐体を適用するとともに、本発明の第２筐体の一例として後側筐体を適用したが、本発明はこれに限られない。たとえば、本発明の第１筐体を後側筐体とするとともに、本発明の第２筐体を前側筐体としてもよい。
【００５２】
また、上記実施形態では、前側筐体に７つの前側係合凸部および２つの係合凹部を形成するとともに、後側筐体に７つの後側係合凹部および２つの後側係合凸部を形成する例を示したが、本発明はこれに限られない。たとえば、前側筐体に７つ以外の係合凸部を形成するとともに、後側筐体に７つ以外の係合凹部を形成してもよい。また、前側筐体に７つ以外の係合凹部を形成するとともに、後側筐体に７つ以外の係合凸部を形成してもよい。
【００５３】
また、上記実施形態では、図１３に示したように、前側係合凸部１２と後側係合凹部１４との係合状態を解除する最初（１番目）の位置を起点Ａとした場合に、起点Ａに最も近い前側係合凸部１２の係合状態を２番目に解除するとともに、起点Ａに最も近い後側係合凸部１５の係合状態を１０番目に解除する例を示したが、本発明はこれに限られない。たとえば、前側係合凸部１２と後側係合凹部１４との係合状態を解除する最初（１番目）の位置を起点Ａとした場合に、起点Ａに最も近い後側係合凸部１５の係合状態を２番目に解除するとともに、起点Ａに最も近い前側係合凸部１２の係合状態を３番目に解除してもよい。また、起点Ａに最も近い後側係合凸部１５と、起点Ａに最も近い前側係合凸部１２との係合状態を略同時に２番目に解除してもよい。
【００５４】
また、上記実施形態では、前側筐体に係合方向から見て直角三角形形状の前側係合凸部（後側係合凸部）を形成する例を示したが、本発明はこれに限られない。たとえば、図２１に示す第１変形例のように、前側筐体９ａに二等辺三角形形状の係合凸部９１ａを形成してもよい。この場合、前側筐体９ａと後側筐体１０ａとを分解する際には、係合凸部９１ａの２つの傾斜部９２ａおよび９３ａと、後側筐体１０ａの係合面の端辺１０１ａとの２つの交点が２つの傾斜部９２ａおよび９３ａに沿って移動することにより、２つの傾斜部９２ａおよび９３ａと、端辺１０１ａとの係合状態が解除される。
【００５５】
また、上記実施形態では、前側筐体に係合方向から見て直角三角形形状の前側係合凸部（後側係合凸部）を形成する例を示したが、本発明はこれに限られない。たとえば、図２２に示す第２変形例のように、前側筐体９ｂに台形形状の係合凸部９１ｂを形成してもよい。この場合、前側筐体９ｂと後側筐体１０ｂとを分解する際には、係合凸部９１ｂの２つの傾斜部９２ｂおよび９３ｂと、後側筐体１０ｂの係合面の端辺１０１ｂとの２つの交点が２つの傾斜部９２ｂおよび９３ｂに沿って移動することにより、２つの傾斜部９２ｂおよび９３ｂと、端辺１０１ｂとの係合状態が解除される。
【００５６】
また、上記実施形態では、前側筐体に係合方向から見て直線状を有する第１傾斜部を形成する例を示したが、本発明はこれに限られない。たとえば、図２３に示す第３変形例のように、前側筐体９ｃに曲線状を有する係合凸部９１ｃを形成してもよい。この場合、前側筐体９ｃと後側筐体１０ｃとを分解する際には、係合凸部９１ｃの傾斜部９２ｃと、後側筐体１０ｃの係合面の端辺１０１ｃとの交点が曲線状の傾斜部９２ｃに沿って移動することにより、傾斜部９２ｃと、端辺１０１ｃとの係合状態が解除される。
【００５７】
また、上記実施形態では、前側係合凸部（後側係合凸部）に第１傾斜部を形成する例を示したが、本発明はこれに限られない。たとえば、図２４に示す第４変形例のように、前側筐体９ｄに形成された係合凸部９１ｄを係合方向から見て略矩形形状に形成するとともに、後側筐体１０ｄに形成された係合凹部１０１ｄの係合面に直線状の傾斜部１０２ｄを形成してもよい。この場合、前側筐体９ｄと後側筐体１０ｄとを分解する際には、係合凸部９１ｄの端辺９２ｄと、後側筐体１０ｄの係合面の傾斜部１０２ｄとの交点が直線状の傾斜部１０２ｄに沿って移動することにより、傾斜部１０２ｄと、端辺９２ｄとの係合状態が解除される。
【００５８】
また、上記実施形態では、前側係合凸部（後側係合凸部）に第１傾斜部を形成する例を示したが、本発明はこれに限られない。たとえば、図２５に示す第５変形例のように、前側筐体９ｅに形成された係合凸部９１ｅを係合方向から見て略矩形形状に形成するとともに、後側筐体１０ｅに形成された係合凹部１０１ｅの係合面に曲線状の傾斜部１０２ｅを形成してもよい。この場合、前側筐体９ｅと後側筐体１０ｅとを分解する際には、係合凸部９１ｅの端辺９２ｅと、後側筐体１０ｅの係合面の傾斜部１０２ｅとの交点が曲線状の傾斜部１０２ｅに沿って移動することにより、傾斜部１０２ｅと、端辺９２ｅとの係合状態が解除される。
【００５９】
また、上記実施形態では、前側係合凸部を前側筐体の外側から内側（表示パネル側）に向かって突出するように形成するとともに、後側係合凸部を後側筐体の内側から外側に向かって形成する例を示したが、本発明はこれに限られない。たとえば、図２６に示す第６変形例のように、前側係合凸部１２を前側筐体の外側から内側に向かって突出するように形成するとともに、後側係合凸部１５を後側筐体の外側から内側に向かって突出するように形成してもよい。
【００６０】
また、上記実施形態では、前側係合凸部（後側係合凸部）と後側係合凹部（前側係合凹部）との係合状態を解除する最初の位置を起点Ａとした場合に、反時計回り方向に取り外す順番（２番目〜９番目）に沿って傾斜方向が同じ方向を向くように形成する例を示したが、本発明はこれに限られない。たとえば、図２７に示す第７変形例のように、前側係合凸部（後側係合凸部）と前側係合凹部（前側係合凹部）との係合状態を解除する最初（１番目）の位置を起点Ｂとした場合に、２番目〜９番目に係合状態を解除する前側係合凸部（後側係合凸部）の傾斜方向は、起点Ｂを基準にして、時計回り方向に沿って傾斜方向が同じ方向を向くように統一して形成してもよい。また、１０番目に係合状態を解除する後側筐体の後側係合凸部は、係合状態を解除する際の起点となる位置（起点Ｂ）を基準にして、反時計回り方向に沿って傾斜するように形成するとよい。
【符号の説明】
【００６１】
９  前側筐体（第１筐体）
１０  後側筐体（第２筐体）
１２  前側係合凸部（係合凸部）
１２ｂ  取外し用傾斜部（第１傾斜部）
１２ｃ  一方端部
１２ｄ  他方端部
１２ｆ  取付用傾斜部（第２傾斜部）
１４  後側係合凹部（係合凹部）
１４ａ  係合面
１４ｂ  端辺
【図１】
2012145125.tif 000003
【図２】
2012145125.tif 000004
【図３】
2012145125.tif 000005
【図４】
2012145125.tif 000006
【図５】
2012145125.tif 000007
【図６】
2012145125.tif 000008
【図７】
2012145125.tif 000009
【図８】
2012145125.tif 000010
【図９】
2012145125.tif 000011
【図１０】
2012145125.tif 000012
【図１１】
2012145125.tif 000013
【図１２】
2012145125.tif 000014
【図１３】
2012145125.tif 000015
【図１４】
2012145125.tif 000016
【図１５】
2012145125.tif 000017
【図１６】
2012145125.tif 000018
【図１７】
2012145125.tif 000019
【図１８】
2012145125.tif 000020
【図１９】
2012145125.tif 000021
【図２０】
2012145125.tif 000022
【図２１】
2012145125.tif 000023
【図２２】
2012145125.tif 000024
【図２３】
2012145125.tif 000025
【図２４】
2012145125.tif 000026
【図２５】
2012145125.tif 000027
【図２６】
2012145125.tif 000028
【図２７】
2012145125.tif 000029